(57)【要約】【課題】入力側装置と出力側装置とが別体として構成されるシステムにおいても、入力側装置でエラーを確認しセットアップやメンテナンスのリモート操作を行うことができる写真プリント作成システム及びその制御方法の提供。【解決手段】写真プリントを作成する写真プリント作成装置（出力側装置）と、プリント作成条件を設定し該条件に従って出力側装置を制御する画像記録装置（入力側装置）とが通信手段で接続され、出力側装置でエラーに対応する文字情報や制御画面のコピー画像データを作成して入力側装置に送信し、入力側装置では基準画面に文字列やコピー画像データを合成してエラー画面や制御画面を作成するものであり、入力側装置からエラーの確認や解除、リモート制御を行うことができ、また、システムの構成を簡略化し、設定内容の変更や新規出力側装置の追加に対して容易に対応することができる。【選択図】図４
2004326388.tif 000002
【特許請求の範囲】
【請求項１】
所定の処理を実行する第１の装置と、前記処理の条件を設定し、該条件に従って前記第１の装置を制御する第２の装置とが通信手段で接続されてなるシステムにおいて、
前記第１の装置に、該第１の装置の状態を示す信号を検出する手段と、予め記憶された対応付け情報を参照して、前記信号に対応する文字情報を作成する手段とを少なくとも備え、
前記第２の装置に、予め作成された画面に前記第１の装置から取得した前記文字情報を合成して表示画面を作成する手段を少なくとも備えることを特徴とするシステム。
【請求項２】
前記第２の装置に、前記第１の装置から取得した前記文字情報を分析する手段と、該文字情報に対応する画面を選択する手段とを備え、選択された前記画面に前記文字情報を合成して前記表示画面が作成されることを特徴とする請求項１記載のシステム。
【請求項３】
前記第１の装置の状態を示す信号はエラー信号であり、前記文字情報はエラーメッセージであることを特徴とする請求項１又は２に記載のシステム。
【請求項４】
所定の処理を実行する第１の装置と、前記処理の条件を設定し、該条件に従って前記第１の装置を制御する第２の装置とが通信手段で接続されてなるシステムにおいて、
前記第１の装置に、該第１の装置を操作するための操作画面を作成する手段と、前記操作画面を画像データ化する手段とを少なくとも備え、
前記第２の装置に、予め作成された画面に前記第１の装置から取得した前記画像データを合成して表示画面を作成する手段を少なくとも備えることを特徴とするシステム。
【請求項５】
前記第２の装置に、前記表示画面における、前記第１の装置で作成された前記操作画面中の操作ボタンの位置を検出し、前記操作ボタンの押下に対して、該操作ボタンで特定される操作を指示する信号を前記第１の装置に送信する手段を備え、該指示信号により、前記第２の装置の前記表示画面上で、前記操作画面の前記操作ボタンを用いた操作が実行されることを特徴とする請求項４記載のシステム。
【請求項６】
前記操作画面は、前記第１の装置のセットアップ又はメンテナンスに関する操作を行うための画面であることを特徴とする請求項４又は５に記載のシステム。
【請求項７】
前記第１の装置は写真プリントを作成する装置であり、前記第２の装置は写真プリントの作成条件を設定し、該作成条件に基づいて前記第１の装置を制御する装置であることを特徴とする請求項１乃至６のいずれか一に記載のシステム。
【請求項８】
所定の処理を実行する第１の装置と、前記処理の条件を設定し、該条件に従って前記第１の装置を制御する第２の装置とが通信手段で接続されてなるシステムの制御方法であって、
前記第１の装置では、少なくとも、該第１の装置の状態を示す信号を検出し、予め記憶された対応付け情報を参照して、前記信号に対応する文字情報を作成する処理を行い、
前記第２の装置では、少なくとも、前記第１の装置から前記文字情報を取得し、予め作成された画面に前記文字情報を合成して表示画面を作成し、該表示画面を用いて前記第１の装置を制御する処理を行うことを特徴とするシステムの制御方法。
【請求項９】
前記第２の装置では、前記第１の装置から取得した前記文字情報を分析し、該文字情報に対応する画面を選択した後、選択された前記画面に前記文字情報を合成して前記表示画面を作成する処理を行うことを特徴とする請求項８記載のシステムの制御方法。
【請求項１０】
前記第１の装置の状態を示す信号はエラー信号であり、前記文字情報はエラーメッセージであることを特徴とする請求項８又は９に記載のシステムの制御方法。
【請求項１１】
所定の処理を実行する第１の装置と、前記処理の条件を設定し、該条件に従って前記第１の装置を制御する第２の装置とが通信手段で接続されてなるシステムの制御方法であって、
前記第１の装置では、少なくとも、該第１の装置を操作するための操作画面を作成した後、前記操作画面を画像データ化する処理を行い、
前記第２の装置では、少なくとも、前記第１の装置から前記画像データを取得し、予め作成された画面に前記画像データを合成して表示画面を作成し、該表示画面を用いて前記第１の装置を制御する処理を行うことを特徴とするシステムの制御方法。
【請求項１２】
前記第２の装置では、前記表示画面における、前記第１の装置で作成された前記操作画面中の操作ボタンの位置を検出し、前記操作ボタンの押下に対して、該操作ボタンで特定される操作を指示する信号を前記第１の装置に送信する処理を行い、該指示信号により、前記第２の装置の前記表示画面上で、前記操作画面の前記操作ボタンを用いた操作を実行することを特徴とする請求項１１記載のシステムの制御方法。
【請求項１３】
前記操作画面は、前記第１の装置のセットアップ又はメンテナンスに関する操作を行うための画面であることを特徴とする請求項１１又は１２に記載のシステムの制御方法。
【請求項１４】
前記第１の装置は写真プリントを作成する装置であり、前記第２の装置は写真プリントの作成条件を設定し、該作成条件に基づいて前記第１の装置を制御する装置であることを特徴とする請求項８乃至１３のいずれか一に記載のシステムの制御方法。
【発明の詳細な説明】
【０００１】
【発明の属する技術分野】
本発明は、所定の処理を実行する出力側装置と処理の条件を設定して該条件に従って出力側装置を制御する入力側装置とが通信手段を用いて接続されるシステム及びその制御方法に関し、特に、写真プリントを作成する装置とプリント条件の設定／制御を行う装置とからなる写真プリント作成システム及び該システムの制御方法に関する。
【０００２】
【従来の技術】
近年、写真画像に関する様々なサービスが提供されるようになってきている。例えば、フィルムカメラで撮影した写真画像の場合は、写真フィルムをミニラボ等のフォトサービス店舗に持ち込むと、該店舗で写真フィルムを現像して写真プリントを作成したり、現像済みの写真フィルムをスキャナ等で読み取ってＣＤ−Ｒ等の記録媒体に記録するサービスが行われている。また、デジタルカメラで撮影した写真画像の場合は、デジタルカメラやカメラ用記録媒体に記録された画像データを読み取って、その画像データを基に写真プリントを作成したり、画像データをＣＤ−Ｒ等の別の記録媒体にバックアップするサービスが行われている（例えば、特開平５−１８２３７３号公報等）。
【０００３】
このようなサービスを提供するためのシステムとしては、写真フィルムを現像する現像手段、現像済みの写真フィルムを用いて写真プリントを作成する写真プリント作成手段、現像済みの写真フィルムから画像情報を読み取ったり、デジタルカメラやカメラ用記録媒体から画像データを読み取る入力手段、読み取った画像データをＣＤ−Ｒ等の記録媒体に記録する記録手段、現像条件やプリント条件、書き込み条件等を設定し、該条件に従ってこれらの手段を制御する制御手段等を備えた写真プリント作成システムが用いられる。
【０００４】
【特許文献１】
特開平５−１８２３７３号公報（第４−６頁、第３図）
【０００５】
【発明が解決しようとする課題】
写真プリント作成システムとしては、上記手段が一体的に構成されたシステムや、現像手段や写真プリント作成手段等を備える出力側装置と、制御手段や入力手段、記録手段等を備える入力側装置とが通信手段で接続されたシステムなど様々であるが、入力側装置と出力側装置とが別々に構成されている装置では、以下に示すような問題がある。
【０００６】
例えば、出力側装置でエラーが発生した場合、出力側装置は内部の記憶手段に予め記憶された対応付け情報（例えば、エラーメッセージテーブル）を参照してエラーコードに対応するエラー画面を表示し、入力側装置も出力側装置からエラーコードを受信し、内部の記憶手段に予め記憶されたエラーメッセージテーブルを参照してエラーコードに対応するエラー画面を作成して表示するといった制御が行われるため、各々の装置でエラーメッセージテーブルを記憶し、エラー画面を作成しなければならず、システムの構成が複雑になるという問題がある。また、セットアップやメンテナンスに関しても同様であり、各々の装置の記憶手段に記憶されたセットアップ情報やメンテナンス情報を参照してセットアップやメンテナンスの操作画面が作成されるため、各々の装置でこれらの情報を記憶し操作画面を作成しなければならない。
【０００７】
また、出力側装置においてエラーコードが変更された場合やセットアップ情報、メンテナンス情報が変更された場合に、入力側装置でエラーを確認しセットアップやメンテナンスをリモート操作するためには、入力側装置のエラーメッセージテーブルやセットアップ情報、メンテナンス情報も同時に変更しなければならず、変更作業が複雑になるという問題もある。
【０００８】
更に、入力側装置に複数の出力側装置が接続可能なシステムの場合には、新たな出力側装置を接続する際に、入力側装置に新たな出力側装置に関するエラーメッセージテーブルやセットアップ情報、メンテナンス情報が記憶されていないとエラーの確認や、セットアップやメンテナンスのリモート操作を行うことができないという問題も生じる。
【０００９】
本発明は、上記問題点に鑑みてなされたものであって、その主たる目的は、入力側装置と出力側装置とが別体として構成されるシステムにおいても、簡便かつ確実に入力側装置でエラー処理やセットアップ、メンテナンスのリモート操作を行うことができる写真プリント作成システム及び該システムの制御方法を提供することにある。
【００１０】
【問題を解決するための手段】
上記目的を達成するため、本発明のシステムは、所定の処理を実行する第１の装置と、前記処理の条件を設定し、該条件に従って前記第１の装置を制御する第２の装置とが通信手段で接続されてなるシステムにおいて、前記第１の装置に、該第１の装置の状態を示す信号を検出する手段と、予め記憶された対応付け情報を参照して、前記信号に対応する文字情報を作成する手段とを少なくとも備え、前記第２の装置に、予め作成された画面に前記第１の装置から取得した前記文字情報を合成して表示画面を作成する手段を少なくとも備えるものである。
【００１１】
本発明においては、前記第２の装置に、前記第１の装置から取得した前記文字情報を分析する手段と、該文字情報に対応する画面を選択する手段とを備え、選択された前記画面に前記文字情報を合成して前記表示画面が作成される構成とすることができ、前記第１の装置の状態を示す信号はエラー信号であり、前記文字情報はエラーメッセージであることが好ましい。
【００１２】
また、本発明のシステムは、所定の処理を実行する第１の装置と、前記処理の条件を設定し、該条件に従って前記第１の装置を制御する第２の装置とが通信手段で接続されてなるシステムにおいて、前記第１の装置に、該第１の装置を操作するための操作画面を作成する手段と、前記操作画面を画像データ化する手段とを少なくとも備え、前記第２の装置に、予め作成された画面に前記第１の装置から取得した前記画像データを合成して表示画面を作成する手段を少なくとも備えるものである。
【００１３】
本発明においては、前記第２の装置に、前記表示画面における、前記第１の装置で作成された前記操作画面中の操作ボタンの位置を検出し、前記操作ボタンの押下に対して、該操作ボタンで特定される操作を指示する信号を前記第１の装置に送信する手段を備え、該指示信号により、前記第２の装置の前記表示画面上で、前記操作画面の前記操作ボタンを用いた操作が実行される構成とすることができ、前記操作画面は、前記第１の装置のセットアップ又はメンテナンスに関する操作を行うための画面であることが好ましい。
【００１４】
また、本発明においては、前記第１の装置は写真プリントを作成する装置であり、前記第２の装置は写真プリントの作成条件を設定し、該作成条件に基づいて前記第１の装置を制御する装置であることが好ましい。
【００１５】
また、本発明の制御方法は、所定の処理を実行する第１の装置と、前記処理の条件を設定し、該条件に従って前記第１の装置を制御する第２の装置とが通信手段で接続されてなるシステムの制御方法であって、前記第１の装置では、少なくとも、該第１の装置の状態を示す信号を検出し、予め記憶された対応付け情報を参照して、前記信号に対応する文字情報を作成する処理を行い、前記第２の装置では、少なくとも、前記第１の装置から前記文字情報を取得し、予め作成された画面に前記文字情報を合成して表示画面を作成し、該表示画面を用いて前記第１の装置を制御する処理を行うものである。
【００１６】
また、本発明の制御方法は、所定の処理を実行する第１の装置と、前記処理の条件を設定し、該条件に従って前記第１の装置を制御する第２の装置とが通信手段で接続されてなるシステムの制御方法であって、前記第１の装置では、少なくとも、該第１の装置を操作するための操作画面を作成した後、前記操作画面を画像データ化する処理を行い、前記第２の装置では、少なくとも、前記第１の装置から前記画像データを取得し、予め作成された画面に前記画像データを合成して表示画面を作成し、該表示画面を用いて前記第１の装置を制御する処理を行うものである。
【００１７】
このように、本発明は、写真プリントを作成する出力側装置とプリント条件を設定し該プリント条件に従って出力側制御する入力側装置とが別体として構成される写真プリント作成システムであっても、エラー処理に関しては、エラーメッセージテーブルを参照して出力側装置で検出されたエラーを文字情報に変換して入力側装置に送り、入力側装置では、予め作成された基準画面に該文字情報を合成してエラー画面を作成し、該エラー画面を用いてエラーの確認やエラーの解除を行うことができる。また、セットアップやメンテナンスに関しては、出力側装置で作成した操作画面を画像データ化して入力側装置に送り、入力側装置では、予め作成した基準画面にその画像データを合成してセットアップやメンテナンスの操作画面を作成し、該操作画面を用いてセットアップやメンテナンスのリモート操作を行うことができる。従って、エラーメッセージテーブルやセットアップ情報、メンテナンス情報を一方の装置に記憶すればよく、写真プリント作成システムの構成を簡略化することができる。また、これらの情報を一方の装置に記憶するため、情報の変更や新たな出力側装置の追加に対しても簡単に対応することができ、システムの拡張性を高めることができる。
【００１８】
【発明の実施の形態】
本発明に係る写真プリント作成システムは、その好ましい一実施の形態において、写真プリントを作成する写真プリント作成装置（出力側装置）と、プリント作成条件を設定し、該条件に従って写真プリント作成装置を制御する画像記録装置（入力側装置）とが通信手段で接続され、出力側装置で、エラーに対する文字情報やセットアップ、メンテナンスの制御画面のコピー画像データを作成して入力側装置に送信し、入力側装置では予め作成した基準画面に文字情報やコピー画像データを合成してエラー画面やセットアップ、メンテナンスの制御画面を作成するものであり、入力側装置にも出力側装置と同様の構成の画面を表示することにより、入力側装置からエラーの確認や解除、セットアップやメンテナンスのリモート制御を簡単に行うことができ、また、出力側装置にのみエラーメッセージテーブルやセットアップ、メンテナンスに関する情報を記憶することにより、システムの構成を簡略化し、設定内容の変更や新規出力側装置の追加に対して容易に対応することができる。
【００１９】
【実施例】
上記した本発明の実施の形態についてさらに詳細に説明すべく、本発明の実施例について図面を参照して説明する。なお、以下の実施例では、本発明の写真プリント作成システムを、写真プリントを作成する手段、プリント条件を設定し、該条件に従って制御する手段に加えて、写真フィルムを現像する手段、現像済み写真フィルムから画像情報を読み取る手段、デジタルカメラやカメラ用記録媒体から画像データを読み取る手段、読み取った画像データをＣＤ−Ｒ等の記録媒体に記録する手段等を備えた多機能型のシステムとして説明するが、本発明の写真プリント作成システムは実施例の構成に限定されるものではなく、少なくとも、出力側装置に写真プリントを作成する手段を備え、入力側装置にプリント条件を設定し、該条件に従って出力側装置を制御する手段を備えたものであればよい。
【００２０】
［実施例１］
まず、本発明の第１の実施例に係る写真プリント作成システム及び該システムの制御方法について、図１乃至図７を参照して説明する。図１は、第１の実施例に係る写真プリント作成システムの構造を示す外観図であり、図２は、その構成を示すブロック図である。また、図３は、本実施例の写真プリント作成システムにおけるエラー制御に関連する手段を抽出したブロック図であり、図４は、エラー制御手順を示すフローチャート図である。また、図５乃至図７は、表示部に表示される画面構成例を示す図である。
【００２１】
図１及び図２に示すように、本実施例の写真プリント作成システム１は、様々な入力手段を用いて取り込んだ画像データを用いて、写真プリントを作成したり、記録媒体に記録すると共に、入力条件やプリント条件、書き込み条件等を設定し制御する画像記録装置２（以下、入力側装置と呼ぶ。）と、写真フィルムを現像し、画像データを印画紙に焼き付けて写真プリントやインデックスプリントを作成する写真プリント作成装置３（以下、出力側装置と呼ぶ。）とから構成され、これらが通信手段によって相互に接続されている。
【００２２】
また、入力側装置は、現像済みの写真フィルム２１から画像情報を読み取るフィルムスキャナ部４、写真プリント２２などの原稿から画像情報を読み取る反射原稿入力装置５、デジタルカメラ２４やカメラ付き携帯電話機などの写真撮影機能を備えた撮影機器から画像データを読み取り、また、スマートメディア、コンパクトフラッシュ（登録商標）、メモリースティック（登録商標）、ＳＤメモリーカード、マルチメディアカード等の撮影機器用の画像記録媒体（以下、入力用画像記録媒体２３と呼ぶ。）から画像データを読み取る画像読取部６等の画像入力手段と、写真プリントのオーダーに関する各種情報や後述する各種画面を表示するＣＲＴ、液晶等の表示部８と、上記画面を参照して各種指示を行うキーボード、タッチパネル、マウス等の操作部９と、読み取った画像データをＣＤ−Ｒ、ＤＶＤ−Ｒ、ＭＯ等の画像記録媒体（以下、出力用画像記録媒体２５と呼ぶ。）に記録する画像書込部１０と、エラーの内容を示す文字で構成される文字情報（以下、エラーメッセージと呼ぶ。）をはめ込む基準画面などを記憶する記憶部１１と、写真プリント作成装置３とデータの通信を行う通信部１２と、所定の画像記録条件やプリント作成条件、書き込み条件に従って画像出力手段を制御する制御部７とを備えている。なお、図示しないが、画像入力手段として、インターネット（無線／有線を問わない）や赤外線等を用いた通信ネットワークを介して、他のコンピュータ端末やサーバから画像データを取り込む機能を備えていてもよい。
【００２３】
また、出力側装置は、マガジン装填部１５を備え、画像情報を感光材料に露光する露光処理部１３と、露光された感光材料を現像処理して乾燥し、写真プリント２６やインデックスプリント２７を作成するプリント作成部１４と、エラー画面などを表示する表示部１７と、各種指示を行う操作部１８と、エラーコードとエラーの内容を示す文字情報とが対応付けられたエラーメッセージテーブルを記憶する記憶部２０と、入力側装置とデータの通信を行う通信部１９と、これらの動作を制御する制御部１６とを備えている。
【００２４】
次に、本実施例の写真プリント作成システム１におけるエラー制御に関連する部分の手段について図３を参照して説明する。入力側装置の制御部７には、出力側装置から受信したエラーメッセージを分析するエラーメッセージ分析手段７ａと、エラーメッセージの中のランクを参照して基準画面を選択する基準画面選択手段７ｂと、選択された基準画面にエラーメッセージを合成してエラー画面を作成するエラー画面作成手段７ｃとを備え、一方、出力側装置の制御部１６には、該装置の状態を監視しエラーを検出するエラー検出手段１６ａと、エラー検出手段１６ａからのエラーコードに基づいてエラーメッセージを作成するエラーメッセージ作成手段１６ｂとを備えている。
【００２５】
上記構成の写真プリント作成システム１を用いて、出力側装置で発生したエラーを入力側装置で確認して解除する手順について、図４のフローチャート図及び図５乃至図７の画面構成例を参照して説明する。
【００２６】
まず、ステップＳ１０１で、上記構成の入力側装置（画像記録装置２）を起動すると、ステップＳ１０２で、図５に示すような入力側装置で行う処理を明示した画面（以下、ホーム画面２８と呼ぶ。）が表示される。このホーム画面２８には、例えば、露光処理、プリント作成処理に関する項目が表示される露光／プリント条件設定欄２８ａ、出力側装置のプリント処理の状況を表示するプリント状況表示欄２８ｂ、作成するプリントやプリントに付加して実行される機能を設定する詳細設定欄２８ｃ、出力側装置のセットアップやメンテナンスを実行するプリント作成装置操作欄２８ｄ等が表示される。なお、図５は例示であり、その構成は任意に設定することができる。また、入力側装置を起動するとホーム画面２８が表示される構成としているが、ホーム画面２８が表示される前に他の画面が表示される構成としてもよい。
【００２７】
そして、オペレータはホーム画面２８や、ホーム画面２８中の各種ボタンのクリックに対応して表示される各種画面を用いて、画像データの入力条件や写真プリントの作成条件の設定、写真プリントの作成に付加して行う機能の選択、写真プリントやインデックスプリントの作成制御、ＣＤ−Ｒ等の出力用記録媒体２４への記録制御等を行う。
【００２８】
一方、ステップＳ１０３で出力側装置を起動すると、エラー検出手段１６ａは出力側装置の状態を監視し、ステップＳ１０４でエラーの発生（例えば、マガジン装着部１５に印画紙がなくなったり、給水タンクに水がなくなった場合など）を検出すると、ステップＳ１０５で、エラーメッセージ作成手段１６ｂは、記憶部２０に予め記憶されたエラーメッセージテーブルを参照して各々のエラーに対応するエラーメッセージを作成し、入力側装置に該エラーメッセージを送信する。
【００２９】
このエラーメッセージは、例えば、エラーの識別番号を示すエラーコードとエラーのランクを示す記号とエラーの具体的内容を示す文字情報とから構成され、例えば、印画紙がなくなった場合には、（”３１３０６、”Ｂ”、”ペーパーエンドです。同じ幅のペーパーを装填して［継続］を押してください。”）等のエラーメッセージが作成され、給水タンクに水がなくなった場合には、（”４０１０４、”Ｎ”、”給水タンクに水を入れてください。”）等のエラーメッセージが作成されて入力側装置に送信される。
【００３０】
そして、ステップＳ１０６で入力側装置がエラーメッセージを受信すると、ステップＳ１０７で、エラーメッセージ分析手段７ａはエラーメッセージを分析し、エラーメッセージの中からエラーのランクを抽出してランクに対応する基準画面を選択し、エラー画面作成手段７ｃにより、選択した基準画面に受信したエラーメッセージを合成してエラー画面を作成し、ステップＳ１０８でそのエラー画面を表示部８に表示する。一方、出力側装置もエラーメッセージに基づいてエラー画面を作成し、ステップＳ１０９で表示部１７にエラー画面を表示する。
【００３１】
この入力側装置の表示部８で表示されるエラー画面２９は、例えば、図６及び図７に示すように、エラーコードやエラーのランク、エラーの具体的内容を示す文字情報等からなるエラーメッセージ部２９ａが、エラーのランクに対応する基準画面２９ｂにはめ込まれ、ホーム画面２８上に別ウィンドゥとして表示される。そして、オペレータはエラーの内容を確認して操作ボタンを用いて適切な指示を行うことができる。
【００３２】
ここで、従来の写真プリント作成システム１の場合は、出力側装置では、予め記憶されたエラーメッセージテーブルを参照してエラーコードに対応するエラー画面を作成すると共にエラーコードを入力側装置に送信し、入力側装置では、予め記憶されたエラーメッセージテーブルを参照して独自にエラー画面を作成するように構成されていた。そのため、各々の装置でエラーメッセージテーブルを記憶し、エラーメッセージを用いてエラー画面を作成する必要があり、システムの構成が複雑になるという問題があった。また、各々の装置にエラーメッセージテーブルを記憶するために、出力側装置のエラー内容が変更された場合に、入力側装置のエラーメッセージテーブルも同時に修正しなければならず、変更に対する処理が複雑になるという問題があった。更に、新たな出力側装置を接続する場合にも入力側装置に新たなエラーメッセージテーブルを記憶しなければならず、システムを容易に拡張することができないという問題もあった。
【００３３】
これに対して、本実施例の写真プリント作成システム１では、エラーメッセージテーブルはエラーを検出する側の装置（出力側装置）に記憶し、そのエラーメッセージテーブルを参照してエラーメッセージを作成し、他方の装置（入力側装置）にはエラーコードではなく作成したエラーメッセージを送信する構成としているため、入力側装置では送信されたエラーメッセージを基準画面に合成して簡単にエラー画面を作成することができ、入力側装置でもエラーの確認が可能となる。また、入力側装置にエラーメッセージテーブルを記憶する必要が無くなるためシステムの構成を簡略化することができる。更に、エラーメッセージテーブルを一方の装置に記憶しているため、エラー内容が変更された場合や、新たに出力側装置が追加された場合であっても入力側装置を変更する必要が無くなり、システムの拡張性を高めることができる。
【００３４】
次に、ステップＳ１１０で、オペレータは入力側装置のエラー画面２９に設けられたボタン（例えば、図６（ｂ）の”中止”ボタン、”継続”ボタン、”警告音カット”ボタンや、図７の”了解”ボタン、”警告音カット”ボタン等）を押下してエラーに対する指示を行う。すると、エラー画面２９のボタン押下情報が出力側装置に通知され、ステップＳ１１１で、出力側装置は、エラーに対する指示が行われたことを認識し、指示を受信したことを示す受信通知を入力側装置に送信する。
【００３５】
ここで、従来の写真プリント作成システム１では、エラーの内容を入力側装置に表示するものはあり、オペレータがエラーの内容を入力側装置で確認することは可能であったが、エラーの解除は基本的にエラーが発生した装置側でしか行うことができなかった。このエラーの内容やエラーに対する処理は様々であり、エラー発生装置側で処理する方が便利な場合もあれば、入力側装置で処理する方が便利な場合もあり、一律に出力側装置でエラーの処理や解除を行わなければならない構成では操作性が悪いという問題があった。
【００３６】
これに対して、本実施例の写真プリント作成システム１では、入力側装置でもエラーに対する指示を行うことができるように構成されているため、オペレータが入力側装置に常駐している場合には、エラーに対する指示を入力側装置で行うことができ、操作性を向上させることができる。例えば、図７の例で示すと、給水タンクに自動的に水を補給する機能がある場合には、出力側装置で”了解”ボタンを押さなくても入力側装置で”了解”ボタンを押してエラー解除を行うことができ、エラーに対して迅速に対応することができる。
【００３７】
その後、ステップＳ１１２で、受信通知を受けた入力側装置はエラー画面をクリアすると共に、ステップＳ１１３で出力側装置もエラー画面をクリアし、一連のエラーに対する処理を終了する。
【００３８】
このように、本実施例の写真プリント作成システム１によれば、出力側装置で検出したエラーに対して、出力側装置に予め記憶されたエラーメッセージテーブルを参照してエラーメッセージを作成し、入力装置側では、このエラーメッセージを受信して基準画面に合成してエラー画面を作成／表示するため、入力側装置でも出力側装置のエラーを確認し、エラーに対する指示を行うことができる。また、入力側装置にエラーメッセージテーブルを記憶する必要がなくなるためシステムの構成を簡略化することができる。更に、エラーメッセージテーブルが出力側装置にのみ記憶されているため、エラー内容を変更する場合の作業も簡単になり、出力側装置を追加する場合であっても入力側装置の変更が不要となり、システムの拡張性を向上させることができる。
【００３９】
［実施例２］
次に、本発明の第２の実施例に係る写真プリント作成システム及び該システムの制御方法について、図８乃至図１４を参照して説明する。図８は、第２の実施例に係る写真プリント作成システムにおけるリモート操作に関連する手段を抽出したブロック図であり、図９は、リモート操作の手順を示すフローチャート図である。また、図１０乃至図１４は、表示部に表示される画面構成例を示す図である。
【００４０】
前記した第１の実施例では、出力側装置で作成したエラーメッセージを入力側装置で利用する場合について説明したが、出力側装置で表示する画面自体を入力側装置で利用することも可能である。そこで、本実施例では、出力側装置で表示される画面を入力側装置にそのまま表示し、システムの構成を複雑にすることなく入力側装置から出力側装置のセットアップやメンテナンスを行うことができるようにしている。
【００４１】
本実施例の写真プリント作成システム１におけるセットアップ及びメンテナンスに関連する部分の手段をブロック図で示すと図８に示すようになる。すなわち、入力側装置（画像記録装置２）の制御部７には、セットアップやメンテナンスのメニュー画面等を作成するメニュー画面作成手段７ｄと、出力側装置から受信したコピー画像データを予め作成した基準画面に合成して入力側操作画面を作成する入力側操作画面作成手段７ｅと、出力用操作画面中の操作ボタンのクリック動作を検出して該操作ボタンで特定される操作を指示する信号を送信する指示信号作成手段７ｆとを備え、出力側装置（写真プリント作成装置３）の制御部１６には、セットアップやメンテナンスの操作画面を作成する出力側操作画面作成手段１６ｃと、出力側操作画面を画像データ化するコピー画像データ作成手段１６ｄとを備えている。
【００４２】
上記構成の写真プリント作成システム１を用いて、入力側装置の操作画面を用いて、セットアップやメンテナンスを行う手順について、図９のフローチャート図及び図１０乃至図１４の画面構成例を参照して説明する。
【００４３】
まず、第１の実施例と同様に、ステップＳ２０１で、入力側装置を起動すると、ステップＳ２０２で、図５に示すようなホーム画面２８が表示される。そして、ホーム画面２８のプリント作成装置操作欄２８ｄを操作してセットアップボタン又はメンテナンスボタンをクリックし、セットアップ又はメンテナンスを開始する。例えば、セットアップボタンをクリックすると、ステップＳ２０３で、図１０に示すようなセットアップメニュー画面３０が表示される。
【００４４】
このセットアップメニュー画面３０には、例えば、セットアップの種別を示すセットアップ関連欄、色調整やシステム運用データのバックアップ等の管理、プリント作業の条件設定等を行う設定関連欄、コントロールストリップ処理（現像処理液管理用の現像チャートを現像搬送させる処理）等を行う品質関連欄、オートロード（ペーパーマガジンから出たペーパー先端の被り部分をカット搬送させる機能）や終業点検に関する動作を行う機能欄等が表示される。なお、図１０は例示であり、その構成は任意に設定することができる。以下では、セットアップ関連の中から個別のセットアップを、機能の中からオートロードを選択した場合について説明する。
【００４５】
例えば、セットアップメニュー画面３０の中からセットアップ関連欄の個別のセットアップを選択すると、ステップＳ２０４で、図１１に示すようなセットアップサブメニュー画面３１ａが表示される。このセットアップサブメニュー画面３１ａには、例えば、入力機器欄やプリンタにおけるセットアップが可能な機器や部品が分類して表示され、オペレータはこの中からセットアップを実施する項目を選択する。
【００４６】
例えば、セットアップサブメニュー画面３１ａから入力機器欄のフィルムスキャナセットアップ（１２２）を選択すると、ステップＳ２０５で、制御部７は選択されたセットアップ項目が入力側装置に関する項目であるか、出力側装置に関する項目であるのかを判断する。ここでは、フィルムスキャナが入力側装置に関連する項目であるため、ステップＳ２０６でメニュー画面作成手段７ｄによって、図１２に示すようなセットアップ操作画面３２ａが作成され表示される。このセットアップ操作画面３２ａには、セットアップ手順や使用しているキャリア種を選択する欄が表示され、オペレータがキャリア種を選択してセットアップ開始ボタンをクリックすると、ステップＳ２０７で予め定められた手順に従って、フィルムスキャナのセットアップ（具体的には、フィルムスキャナの光源補正やガンマ補正）が実行される。
【００４７】
上記手順は、入力側装置に関する項目のセットアップであるが、本実施例の写真プリント作成システム１では、入力側装置を用いて出力側装置の機器や部品のセットアップを行うこともできる。例えば、ステップＳ２０３でセットアップメニュー画面３０を表示して、その中から機能欄中のオートロードを選択した場合には、オートロードが出力側装置に関する項目であるため、ステップＳ２０５で入力側装置から出力側装置にリモート操作の開始を指示する信号が送信される。なお、オートロードに関しては細分類が不要なためセットアップサブメニュー画面を表示していないが、項目を更に細かく分類する必要がある場合にはサブメニュー画面を表示する構成としてもよい。
【００４８】
一方、出力側装置の制御部１６は、起動後（ステップＳ２０８）、ステップＳ２０９で入力側装置からの操作開始指示信号を監視し、該信号が入力されると、ステップＳ２１０で、セットアップの対象となる機器や部品の状態を参照して表示する操作画面を更新するか否かを判断する。そして、更新する必要があると判断した場合には、ステップＳ２１１で出力側操作画面作成手段１６ｃを用いて出力側装置の操作画面を更新し、次に、ステップＳ２１２で、コピー画像データ作成手段１６ｄを用いて、表示された操作画面を画像データ化したコピー画像データを作成する。
【００４９】
そして、作成したコピー画像データを入力側装置に送信すると、入力側装置では、入力側操作画面作成手段７ｅを用いて、予め記憶部１１に記憶された基準画面にコピー画像データを合成して図１３に示すようなセットアップ操作画面３２ｂを作成する。このセットアップ操作画面３２ｂは、例えば、入力側装置で作成した基準画面に出力側装置で表示されるセットアップ操作画面を画像データ化したはめ込み画面３２ｃ（図の網掛け部）が合成されて構成される。
【００５０】
ここで、従来の写真プリント作成システム１では、出力側装置に関連する項目のセットアップは出力側装置の表示部及び操作部を用いて操作しなければならず操作性が悪いという問題があった。また、入力側装置でリモート操作を可能とするシステムもあるが、その場合には、入力側装置自身で出力側装置のセットアップ操作画面を作成していたため、入力側装置に、出力側装置のセットアップに関する情報を記憶する必要があり、システムの構成が複雑になるという問題があった。更に、出力側装置のセットアップに関する情報を変更する場合（例えば、出力側装置にマガジンＣを追加する場合）や新たな出力側装置を追加する場合に、変更又は追加された情報が入力側装置に反映されないとリモート操作を行うことができないため入力側装置の情報も変更しなければならず、セットアップ内容の変更作業が複雑となり、システムの拡張も容易にできないという問題もあった。
【００５１】
これに対して、本実施例の写真プリント作成システム１では、出力側装置で作成されたセットアップ操作画面を画像データ化したコピー画像データとして入力側装置に送信し、入力側装置でそのコピー画像データを基準画面に合成して入力側装置のセットアップ操作画面を作成しているため、入力側装置に、出力側装置のセットアップに関連する情報を記憶する必要がなくなり、システムの構成を簡略化することができると共に、セットアップに関する情報を変更したり新たな出力側装置を追加する場合であっても、入力側装置の変更が不要となり、変更作業を容易にし、かつ、システムの拡張性を高めることができる。
【００５２】
そして、ステップＳ２１３で、オペレータは入力側装置のセットアップ操作画面中のはめ込み画面３２ｃに設けられた操作ボタンをクリックすると、指示信号作成手段７ｆでは、マウスのカーソル位置を参照して操作ボタンを特定し、操作ボタンに対応する操作を指示する信号を出力側装置に送信する。例えば、マガジンＡを選択して引き出し量を入力し実行ボタンを押下すると、セットアップ操作画面３２ｂのボタン押下情報が出力側装置に通知され、出力側装置では、ステップＳ２１４で、指示に従ってセットアップ処理を実行する。その後、ステップＳ２１５で処理が終了したかを判断し、終了した場合には入力側装置に終了通知を行い、入力側装置では終了通知を受信したら、ステップＳ２１６で操作が終了したかを判断し、一連のセットアップ処理を終了する。
【００５３】
上記手順はセットアップの場合の手順であるが、メンテナンスに関しても同様の手順により入力側装置でメンテナンスの指示を行うことができる。その手順について説明する。
【００５４】
まず、ホーム画面２８のプリント作成装置操作欄２８ｄを操作してメンテナンスボタンをクリックすると、図１４に示すようなメンテナンスメニュー画面３３が表示される。このメンテナンスメニュー画面３３には、フィルムキャリアやフィルムスキャナの調整パラメータ設定や動作テスト、フィルム撮影画像のピント調整等を行う入力部欄、露光ユニットや現像ユニットの調整パラメータ設定や動作テスト、状態表示、現像液の補充／給水等の設定を行う出力部欄と、メンテナンスデータの保存や呼び出し、システム構成に関する各種設定を行うその他欄等が表示される。
【００５５】
そして、例えば、その中から入力部欄のフィルムスキャナ（２２）を選択すると、ステップＳ２０４で、メンテナンスサブメニュー画面（図示せず）が表示され、オペレータはメンテナンスサブメニュー画面の中からメンテナンスを希望する項目を選択する。このフィルムスキャナは入力側装置に関する項目であるため、ステップＳ２０６で、入力側装置のメニュー画面作成手段７ｄによりメンテナンス操作画面（図示せず）が表示され、オペレータが操作画面を操作すると、ステップＳ２０７でその指示に従ってメンテナンスが実行される。
【００５６】
また、メンテナンスメニュー画面３３の中から出力部のプロセッサ部（２５）を選択すると、ステップＳ２０４でメンテナンスサブメニュー画面（図示せず）が表示され、オペレータはメンテナンスサブメニュー画面の中からメンテナンスを希望する項目を選択する。このプロセッサ部は出力側装置に関する項目であるため、ステップＳ２０５で入力側装置から出力側装置に操作開始指示信号が送信され、出力側装置では、ステップＳ２０９で表示する画面を更新するか否かを判断し、更新する必要がある場合には、ステップＳ２１０で出力側操作画面作成手段１６ｃを用いて操作画面を更新し、ステップＳ２１１で、コピー画像データ作成手段１６ｄを用いて、表示された操作画面を画像データ化したコピー画像データを作成する。
【００５７】
そして、コピー画像データを入力側装置に送信すると、入力側装置では、入力用操作画面作成手段７ｅを用いて、予め作成された基準画面にコピー画像データを合成してメンテナンス操作画面（図示せず）を作成する。そして、ステップＳ２１３で、オペレータは入力側装置のメンテナンス操作画面を操作すると指示信号作成手段７ｆによってボタン押下情報が出力側装置に通知され、ステップＳ２１４で、操作に従って出力側装置のメンテナンスが実行される。その後、ステップＳ２１５で処理が終了したかを判断し、終了した場合には入力側装置に終了通知を行い、入力側装置では、この終了通知を受信したら、ステップＳ２１６で操作が終了したかを判断し、一連のメンテナンス処理を終了する。
【００５８】
このように、本実施例の写真プリント作成システム１によれば、セットアップやメンテナンスに際して、出力側装置に関する項目の場合には出力側装置で操作画面を作成して画面を画像データ化したコピー画像データとして入力側装置に送信し、入力装置側では、このコピー画像データを受信して基準画面に合成して入力側装置の操作画面として表示するため、入力側装置でも出力側装置と同様にセットアップやメンテナンスの指示を行うことができる。また、入力側装置に出力側装置のセットアップやメンテナンスに関する情報を記憶する必要がなくなるためシステムの構成を簡略化することができる。また、出力側装置のセットアップやメンテナンスに関する情報が出力側装置の記憶部２０にのみ記憶されているため、セットアップやメンテナンスに関する情報を変更したり新たな出力側装置を追加する場合であっても、入力側装置の変更が不要となり、変更作業を容易にし、かつ、システムの拡張性を向上させることができる。
【００５９】
なお、上記各実施例では、出力側装置で作成したエラーメッセージやコピー画像データを入力側装置の基準画面に合成してエラー画面や操作画面を作成する構成としたが、入力側装置で作成した文字情報や画像データを用いて、出力側装置で画面を作成する構成とすることもできる。また、上記各実施例では、入力側装置として画像記録装置を、出力側装置として写真プリント作成装置を例にして説明したが、本発明は上記実施例に限定されるものではなく、何らかの処理を実行する装置（出力側装置）と、該装置を制御するための装置（入力側装置）とで構成されるシステムにおいても同様に適用することができる。
【００６０】
【発明の効果】
以上説明したように、本発明の写真プリント作成システム及び該システムにおける制御方法によれば下記記載の効果を奏する。
【００６１】
本発明の第１の効果は、入力側装置で、出力側装置のエラーの確認／解除、セットアップやメンテナンスの制御を行うことができるということである。
【００６２】
その理由は、入力側装置と出力側装置の双方に、同様に構成されたエラー画面や操作画面が表示され、オペレータは入力側装置からでも出力側装置と同等の操作を行うことができるからである。
【００６３】
また、本発明の第２の効果は、システムの構成を簡略化することができるということである。
【００６４】
その理由は、エラーメッセージテーブルやセットアップ、メンテナンス等に関する情報を一方の装置のみに記憶し、他方の装置では、一方の装置で作成したメッセージデータや操作画面のコピー画像データ等を基準画面に合成してエラー画面や操作画面を表示することができるからである。
【００６５】
また、本発明の第３の効果は、エラー内容やセットアップ、メンテナンスの内容の変更を容易に行うことができるということである。
【００６６】
その理由は、エラーメッセージテーブルやセットアップ、メンテナンス等に関する情報を一方の装置のみに記憶しているため、他方の装置は変更が不要となるからである。
【００６７】
また、本発明の第４の効果は、システムの拡張性を高めることができるということである。
【００６８】
その理由は、新たな出力側装置が追加された場合であっても、入力側装置は変更を行う必要がないからである。
【図面の簡単な説明】
【図１】本発明の第１の実施例に係る写真プリント作成システムの外観図である。
【図２】本発明の第１の実施例に係る写真プリント作成システムの機能を示すブロック図である。
【図３】本発明の第１の実施例に係る写真プリント作成システムにおけるエラー制御に関連する手段を示すブロック図である。
【図４】本発明の第１の実施例に係るエラー制御手順を示すフローチャート図である。
【図５】本発明の第１の実施例に係る入力側装置で表示される画面（ホーム画面）の構成例を示す図である。
【図６】本発明の第１の実施例に係る入力側装置で表示される画面（エラー画面）の構成例を示す図である。
【図７】本発明の第１の実施例に係る入力側装置で表示される画面（エラー画面）の他の構成例を示す図である。
【図８】本発明の第２の実施例に係る写真プリント作成システムにおけるセットアップ又はメンテナンスに関連する手段を示すブロック図である。
【図９】本発明の第２の実施例に係るセットアップ又はメンテナンス手順を示すフローチャート図である。
【図１０】本発明の第２の実施例に係る入力側装置で表示される画面（セットアップメニュー画面）の構成例を示す図である。
【図１１】本発明の第２の実施例に係る入力側装置で表示される画面（セットアップサブメニュー画面）の構成例を示す図である。
【図１２】本発明の第２の実施例に係る入力側装置で表示される画面（セットアップ操作画面）の構成例を示す図である。
【図１３】本発明の第２の実施例に係る入力側装置で表示される画面（セットアップ操作画面）の他の構成例を示す図である。
【図１４】本発明の第２の実施例に係る入力側装置で表示される画面（メンテナンスメニュー画面）の構成例を示す図である。
【符号の説明】
１  写真プリント作成システム
２  画像記録装置
３  写真プリント作成装置
４  フィルムスキャナ部
５  反射原稿入力装置
６  画像読込部
７  制御部
７ａ  エラーメッセージ分析手段
７ｂ  基準画面選択手段
７ｃ  エラー画面作成手段
７ｄ  メニュー画面作成手段
７ｅ  入力側操作画面作成手段
７ｆ  指示信号送信手段
８  表示部
９  操作部
１０  画像書込部
１１  記憶部
１２  通信部
１３  露光処理部
１４  プリント処理部
１５  マガジン装填部
１６  制御部
１６ａ  エラー検出手段
１６ｂ  エラーメッセージ作成手段
１６ｃ  出力側操作画面作成手段
１６ｄ  コピー画像データ作成手段
１７  表示部
１８  操作部
１９  通信部
２０  記憶部
２１  写真フィルム
２２  写真プリント
２３  入力用画像記録媒体
２４  デジタルカメラ
２５  出力用画像記録媒体
２６  写真プリント
２７  インデックスプリント
２８  ホーム画面
２８ａ  露光／プリント条件設定欄
２８ｂ  プリント状況表示欄
２８ｃ  詳細設定欄
２８ｄ  プリント作成装置操作手段
２９  エラー画面
２９ａ  エラーメッセージ部
２９ｂ  基準画面
３０  セットアップメニュー画面
３１  セットアップサブメニュー画面
３２ａ、３２ｂ  セットアップ操作画面
３２ｃ  はめ込み画面
３３  メンテナンスメニュー画面
【図１】
2004326388.tif 000003
【図２】
2004326388.tif 000004
【図３】
2004326388.tif 000005
【図４】
2004326388.tif 000006
【図５】
2004326388.tif 000007
【図６】
2004326388.tif 000008
【図７】
2004326388.tif 000009
【図８】
2004326388.tif 000010
【図９】
2004326388.tif 000011
【図１０】
2004326388.tif 000012
【図１１】
2004326388.tif 000013
【図１２】
2004326388.tif 000014
【図１３】
2004326388.tif 000015
【図１４】
2004326388.tif 000016